(57)【要約】  認知無線装置の認証及び認可の方法300は、登録要求メッセージを生成し(S320)、スペクトラム・マネージャに登録要求を送信し、スペクトラム・マネージャから登録応答メッセージを受信し(S330)、認可要求メッセージを生成し(S360)、認可応答メッセージの受信に応じて、確認応答メッセージを生成し(S370)、認知無線装置が認証されて、確認応答メッセージにおいて指定されるチャネル上で通信することが認可されるように、認証されるべき認知無線装置に確認応答メッセージを送信する(S380)。
2014506743.tif 000002
【特許請求の範囲】
【請求項１】
複数の認知無線装置を認証して認可するための方法であって、
第１装置によって、前記第１装置の識別子及び位置を含む登録要求メッセージであって、認証されるべき認知無線装置の位置及び識別子をさらに含む登録要求メッセージを生成し、
前記登録要求メッセージをスペクトラム・マネージャに送信し、
前記認知無線装置によって復号されることができる暗号化された認証信号を含む登録応答メッセージを受信し、
前記認証無線装置から受信された前記暗号化された認証信号から復号された認証信号を含む認可要求メッセージを生成し、
前記スペクトラム・マネージャから認可応答メッセージを受信すると、前記認知無線装置のために設定される利用可能なチャネル及び送信電力制限のリストを少なくとも含む確認応答メッセージを生成し、
前記認知無線装置に前記確認応答メッセージを送信して、前記認知無線装置が認証されて、前記確認応答メッセージにおいて指定されたチャネル上で通信することを認可される、方法。
【請求項２】
前記認知無線装置の識別子、位置及びメディア・アクセス制御（MAC）アドレスのうちの少なくとも１つを含む関連付け要求メッセージを前記認知無線装置から受信し、
前記認可要求メッセージを生成する前に、前記認知無線装置の非公開鍵を用いて関連付け応答メッセージ中の前記認証信号を復号することにより生成された復号された認証信号を少なくとも含む確認要求メッセージを受信する、請求項１に記載の方法。
【請求項３】
セキュア同期情報要素（IE）を周期的に生成して前記認知無線装置に送信し、
リフレッシュ要求メッセージを周期的に生成して前記スペクトラム・マネージャに送信する、請求項１に記載の方法。
【請求項４】
前記セキュア同期IEが、ビーコン及びスーパーフレームの沈黙期間のうちの少なくとも１つにおいて送信される、請求項３に記載の方法。
【請求項５】
前記セキュア同期IEが、要素識別子（ID）、長さ、マルチキャストID、チャネル・セットID及びチャネル・セットIEを有し、前記マルチキャストIDが、前記第1装置に関連付けられた複数の認知無線装置を含むマルチキャスト・グループを指定する、請求項３に記載の方法。
【請求項６】
前記チャネル・セットID及び前記チャネル・セットIEが暗号化され、前記認知無線装置が前記マルチキャストIDにおいて指定されたマルチキャスト・グループに属する場合に、当該認知無線装置が前記チャネル・セットIEを復号する、請求項５に記載の方法。
【請求項７】
前記チャネル・セットIEが、要素識別子（ID）フィールド、長さフィールド、規制ドメイン、送信のための許容されるチャネルの数、各々の許容されるチャネルのためのチャネル番号を示すサブフィールド及びチャネルに対する送信電力制限を示すサブフィールドを含む、請求項５に記載の方法。
【請求項８】
前記認可要求メッセージに含まれる前記認証信号が、前記登録応答メッセージに含められた前記認証信号の復号されたコピーに一致する場合に、前記認可応答メッセージが前記スペクトラム・マネージャにより生成される、請求項１に記載の方法。
【請求項９】
前記認知無線装置が、前記スペクトラム・マネージャと通信する前記第１装置に関連付けられた少なくとも１つのスレイブ装置である、請求項１に記載の方法。
【請求項１０】
無線ネットワーク中で動作可能な複数の認知無線スレイブ装置を認証及び認可するための認知無線装置であって、
前記認知無線装置の識別子及び非公開セキュリティ鍵を記憶するための少なくとも読み取り専用メモリ部分を含むメモリユニットであって、関連する認知無線スレイブ装置のリストをさらに記憶するメモリユニット、
登録要求メッセージ、関連付け応答メッセージ、確認応答メッセージ、セキュア同期情報要素（IE）及びリフレッシュ要求メッセージを少なくとも生成するためのプロセッサ、並びに、
スペクトラム・マネージャ及び前記関連する認知無線スレイブ装置と生成されたメッセージを交換するための通信モジュール、
を有する認知無線装置。
【請求項１１】
前記登録要求メッセージが前記認知無線装置の識別子及び位置を含み、前記登録要求メッセージが前記関連する認知無線スレイブ装置の各々の位置及び識別子を含み、前記認可要求メッセージが前記関連する認知無線スレイブ装置の各々の復号された認証信号を含み、前記確認応答メッセージが、前記関連する認知無線スレイブ装置の各々のために設定された許容されるチャネル及び送信電力制限のリストを少なくとも含み、前記セキュア同期IEが前記関連する認知無線スレイブ装置の各々のために設定された許容されるチャネル及び送信電力制限の更新されたリストを少なくとも含み、前記リフレッシュ要求メッセージが許容されるチャネル及び送信電力制限の前記更新されたリストを要求するためのメッセージである、請求項１０に記載の装置。
【請求項１２】
前記無線ネットワークが、Ecma392に基づく無線ネットワーク、IEEE802.22に基づく無線ネットワーク及びIEEE802.11に基づく無線ネットワークのうちの少なくとも１つである、請求項１１に記載の装置。
【請求項１３】
認知無線ネットワークにおいて認知無線装置を認証及び認可するためのスペクトラム・マネージャであって、
各々の認知無線装置に対して定められる識別子、特性、許容されるチャネルのリスト及び送信電力制限を記憶するためのデータベース、
登録応答メッセージ、認可応答メッセージ、リフレッシュ応答メッセージを少なくとも生成するためのプロセッサであって、前記登録応答メッセージは暗号化された認証信号を少なくとも含み、前記認可応答メッセージは認可要求メッセージに含まれる前記認証信号が前記登録応答メッセージに含められた前記認証信号の復号されたコピーに一致する場合に生成され、前記リフレッシュ応答メッセージは、許容されるチャネルの更新されたリストを少なくとも含む、プロセッサ、並びに、
マスタ装置として動作可能な１つ以上の認知無線装置と生成されたメッセージを交換するための通信モジュール、
を有するスペクトラム・マネージャ。
【発明の詳細な説明】
【技術分野】
【０００１】
本発明は、一般に、無線通信装置、特に、無線ネットワークにおける認知装置の認証（Authentication）及び認可（Authorization）に関する。
【背景技術】
【０００２】
無線広帯域インターネット接続を提供するためにホワイトスペース周波数(例えば、アナログTVの終了のために利用可能な周波数、及び、特定の地理的位置において用いられている限られた数のTV帯域)を用いるために、認知装置が開発されている。しかしながら、そのような周波数上の送信は、TV局のような既存サービス他の無線ユーザに影響を与える可能性がある。
【０００３】
いくつかの規制機関(例えば米国の連邦通信委員会(FCC)及び英国のOfcom)は、そのような装置による何らかの送信の前に認知無線装置の認証及び認可を必要とするいくつかの規制を規定する。例えば、FCCは、直接又は間接的に、動作の前と間にその動作チャネル及び送信電力を決定するために、指定されたスペクトラム・データベースにコンタクトすることを認知無線装置に要求する。
【０００４】
FCC規則によると、モードIのパーソナル/ポータブルTV帯域装置(TVBD)は、モードII TVBD(以下、モードII)装置から許容されるチャネルのリストを受信した場合のみ、データを送信することができる。モードII装置は、スペクトラム・データベースに問い合わせて、モードI装置のFCC識別子(FCC ID)が有効であることを確認する。モードII装置との通信を開始するために、モードI装置は、モードIIによって使用される利用可能なチャネル又は通信のために利用可能であることがモードII装置によって示されるチャネル上で送信することができる。60秒ごとに少なくとも一度、スリープ・モード中を除いて、モードI装置は、利用可能なチャネルの現行リストを含むモードII装置からのコンタクト検証信号を受信する。別の態様では、モードI装置は、チャネル利用可能性を再検証/再確立するために、モードII装置と交信する。
【０００５】
コンタクト確認（verification）信号は、動作のために利用可能なチャネルのリストが提供されるモードI装置による受信のためのモードII装置によって放送される符号化された信号である。コンタクト確認信号は、モードI装置が依然としてモードII装置の受信範囲の中にいるかを決定するために利用される。モードI装置は、それが動作するために利用可能なチャネルのリストを提供したモードII装置からのコンタクト確認信号にのみ応答することができる。モードII装置は、利用可能なチャネルのリストと共に、利用可能なチャネルのリストを提供すると同時に、コンタクト確認信号を復号するための情報を提供する。
【０００６】
さらに、FCC規制によると、モードI装置は、コンタクト確認信号が受信されないとき、又は、モードII装置とのコンタクトを通して利用可能なチャネルのリストを再確立することが可能でないとき、直ちにその動作を止める。更に、モードI装置は、電力が減ると、利用可能なチャネルのリストを取得するためにモードII装置との通信を再点検又は再確立する必要がある。モードII装置は、電力が減り、その後に新たなチャネル・リストを取得する場合、関連するモードI装置の全てに新たなチャネル・リストを取得するように通知する必要がある。認知無線は、動作の前と間に動作電力と同様にその動作チャネルを決定するために、直接又は間接的に、スペクトラム・データベースにアクセスすることができる。
【発明の概要】
【発明が解決しようとする課題】
【０００７】
現在、認知無線ネットワークをサポートする通信規格(例えばEcma392、IEEE802.22及びIEEE802.11af)は、装置のそのような認証及び認可を実行するためのいかなる効率的な方法をも定めない。
【０００８】
したがって、認知無線装置を含む無線ネットワークにおいて上記の規則を用いる効率的な方法及び装置を提供することが有利である。
【課題を解決するための手段】
【０００９】
本発明の特定の実施の形態は、認知無線装置の認証及び認可の方法を含む。本方法は、登録要求メッセージを生成し、登録要求メッセージは、要求を生成する装置の識別子及び位置並びに認証されるべき少なくとも１つの認知無線装置の位置及び識別子を含み、スペクトラム・マネージャに登録要求を送信し、登録応答メッセージを受信し、登録応答メッセージは、認証されるべき認知無線装置によってのみ復号されることができる暗号化された認証信号を含み、認証されるべき装置から受信される復号された認証信号を含む認可要求メッセージを生成し、認可応答メッセージを受信すると、確認応答メッセージを生成し、確認応答メッセージは、認証されるべき装置のための、利用可能なチャネル及び送信電力制限セットのリストを少なくとも含み、認証されるべき認知無線装置に確認応答メッセージを送信し、認知無線装置は、認証されて、確認応答メッセージにおいて指定されたチャネル上で通信することを認可される。
【００１０】
本発明の特定の実施の形態は、認知無線ネットワークにおいて動作可能な複数のスレイブ装置の認証及び認可のための認知無線装置を含む。当該認知無線装置は、認知無線装置の識別子及びその専用セキュリティ鍵を記憶するための読み取り専用メモリ部分を少なくとも含むメモリユニットであって、さらに、関連する認知無線スレイブ装置のリストを記憶するメモリユニット、登録要求メッセージ、関連付け応答メッセージ、確認応答メッセージ、セキュア同期情報要素(IE)及びリフレッシュ要求メッセージを少なくとも生成するプロセッサ、生成されたメッセージをスペクトラム・マネージャ及び関連する認知無線装置と交換するための通信モジュールを有する。
【００１１】
本発明の特定の実施の形態は、認知無線ネットワークにおいて動作可能な認知無線装置を含む。当該装置は、装置の識別及びその専用セキュリティ鍵を記憶するための読み取り専用メモリ部分を少なくとも含むメモリユニット、関連付け要求及び確認要求メッセージを少なくとも生成するプロセッサであって、関連付け要求が認知無線装置の識別子、位置及びMACアドレスを少なくとも含み、確認要求メッセージが専用のセキュリティ鍵を用いて復号された復号認証信号を少なくとも含むプロセッサ、並びに、生成されたメッセージをスペクトラム・マネージャ及びマスタ装置と交換するための通信モジュールを有する。
【００１２】
本発明の特定の実施の形態は、認知無線ネットワークにおいて動作可能な認知無線装置の認証及び認可のためのスペクトラム・マネージャを含む。スペクトラム・マネージャは、識別子、特性、許容されるチャネルのリスト及び認知無線装置の各々のために定められる送信電力制限を記憶するためのデータベース、登録応答メッセージ、認可応答及びリフレッシュ応答メッセージを少なくとも生成するためのプロセッサであって、登録応答が暗号化された認証信号を少なくとも含み、応答メッセージが認可要求メッセージ中に含まれる認証信号が登録応答メッセージ中に含まれる認証信号の復号されたコピーに一致する場合に生成され、リフレッシュ応答メッセージが許容されるチャネルの更新されたリストを少なくとも含むプロセッサ、並びに、生成されたメッセージをマスタ装置として動作可能な１つ以上の認知無線装置と交換するための通信モジュールを有する。
【００１３】
本発明に関する主題は、請求の範囲において特に指摘されて請求される。本発明の上記及び他の特徴や効果は、添付の図面に関連して考慮される以下の詳細な記述から明らかである。
【図面の簡単な説明】
【００１４】
【図１】本発明のさまざまな実施の形態を説明するために利用される認知無線ネットワークの図。
【図２】スペクトラム・マネージャのブロック図。
【図３】本発明の実施の形態によるスレイブ装置の認証及び認可の方法を説明するフローチャート。
【図４Ａ】セキュア同期IEの構造を説明する図。
【図４Ｂ】チャネル・セットIEの構造を説明する図。
【図５】セキュア同期IEの送信のための異なる実施の形態を説明する図。
【図６】本発明の実施の形態による認知無線装置のブロック図。
【発明を実施するための形態】
【００１５】
本発明によって開示される実施の形態は、本発明における革新的な教示の多くの有利な用途の単なる例であることに注意することが重要である。一般に、本出願の明細書中でなされる記述は、さまざまな請求された発明のいずれかを必ずしも制限するというわけではない。さらに、いくつかの記述は、いくつかの発明の特徴に適用されることができるが、他の特徴には適用されない場合がある。一般に、別途示されない限り、単数で表現された要素は、一般性を失うことなく、複数であってもよく、その逆も同様である。図面において、同様の符号は、いくつかの図面を通して同様の部分に関連する。
【００１６】
図1は、認知無線装置をサポートするためのネットワーク・システム100の非制限的かつ例示的な図を示す。ネットワーク・システム100において、複数のマスタ装置110-1から110-nは、ネットワーク130を通してスペクトラム・マネージャ120と通信する。ネットワーク130は、ワイド・エリア・ネットワーク、ローカル・エリア・ネットワークなど、又は、それらの任意の組み合わせであることができる（但しそれらに限定されない）。
【００１７】
マスタ装置110-1から110-nは、さらに、複数のスレイブ装置140-1から140-mと通信する。各々のマスタ装置(例えばマスタ装置110-j)は、それ自体及びその関連するスレイブ装置(例えば、スレイブ装置140-i)を認証して、スペクトラム・マネージャ120から、それ自体及びその関連するスレイブ装置のための認可された周波数チャネル及び動作電力のリストを読み出す。マスタ装置110-1から110-nは、スレイブ装置140-1から140-mの代わりに、動的周波数選択(DFS)、送信電力制御(TPC)及びチャネル測定を調整する。
【００１８】
ネットワーク・システム100中のマスタ及びスレイブ装置は、Ecma 392, IEEE 802.22, IEEE 802.11afなど（但しこれらの限定されない）を含む通信規格を実施する認知無線装置である。本発明の実施の形態によると、FCC規則によって定められるように、スレイブ装置140-iはモードIのTVBD装置であり、マスタ装置110-jは固定の又はモードIIのTVBD装置である(i = 1, …, m及びj = 1, ...n)。非制限的な例として、スレイブ装置140-iは、携帯端末装置(例えばスマートフォン、ラップトップ・コンピュータ、タブレット・コンピュータなど)であることができる。マスタ装置110-jは、無線LANにおいて動作可能なアクセスポイントであることができる。
【００１９】
図2において説明されるように、スペクトラム・マネージャ120は、マスタ装置及びそれらの関連するスレイブ装置のリストを記憶するために、任意の形態の記憶装置であることができるデータベース210を含む。各々の装置(マスタ又はスレーブ)のために、データベース210は、識別子、関連する特性(例えば、規制タイプ、隣接チャネル・リーク比)、対応するセキュリティ鍵、利用可能なチャネル、並びに、その特性及び位置による各々の装置のための送信電力制限を含む。スペクトラム・マネージャ120は、さらに、認知無線マスタ及びスレイブ装置を認証して、データベース210に記憶されるコンテンツに基づいてスペクトラム及び電力割り当てを決定するためのプロセッサ220を含む。スペクトラム・マネージャ120は、通信モジュール230を用いて認知無線装置とメッセージを交換する。
【００２０】
本発明の特定の実施の形態によると、スレイブ装置140-i及びマスタ装置110-jは、スレイブ装置140-iの認証及び認可のためにハンドシェイク・プロセスを実施する。この目的に関して、マスタ装置110-jはスペクトラム・マネージャ120と通信し、スペクトラム・マネージャ120はスレイブ装置140-iを確認する。スペクトラム・マネージャ120は、さらに、スレイブ装置140-iの種類(例えば携帯端末又は固定装置)及び特性(例えば隣接チャネル・リーク比)に従う動作チャネル及び送信電力を含む（但しそれらに限定されない）動作パラメータをマスタ装置110-jに提供する。そのような情報は、データベース210中に記憶されるコンテンツに部分的に基づいてスペクトラム・マネージャによって提供される。マスタ装置がそれ自身の認証のためにスペクトラム・マネージャ120と直接通信することが留意されるべきである。
【００２１】
本発明の実施の形態によれば、認知無線装置(スレイブ又はマスタ)の認証は、擬態装置の認証を阻止するために安全な方法で実行される。
【００２２】
図3は、本発明の実施の形態によるスレイブ装置140-iの認証及び認可の方法を説明する例示的なフローチャート300を示す。簡潔さのために、そして本発明の範囲を制限することなく、プロセス300は、１つのスレイブ装置の認証及び認可を目的とする。しかしながら、以下の教示が、マスタ装置と関連した複数のスレイブ装置の認証及び認可のために適用されることができることが留意されるべきである。
【００２３】
S310において、スレイブ装置140-iの電源が入るか又はウェイク・アップするときに、マスタ装置110-jに、最初に関連付け要求（Association Request）メッセージを送信する。関連付け要求メッセージは、例えば、装置識別子(例えばFCC ID)及びMACアドレスを含む。関連付け要求メッセージは、必要な場合、スレイブ装置140-iの位置情報を含むことができる。本発明の実施の形態において、装置識別子は、ハッカーが識別子を盗むこと防止するために、スレイブ装置140-iの読み取り専用メモリに記憶される。
【００２４】
S320において、関連付け要求メッセージを受信すると、マスタ装置110-jは、登録要求（Registration Request）メッセージを生成して、それをスペクトラム・マネージャ120に送信する。登録要求メッセージは、例えば、マスタ装置識別子、その位置情報、並びに、スレイブ装置140-iの装置識別子及び位置情報を含む。
【００２５】
S330において、スペクトラム・マネージャ120は、登録応答（Registration Response）メッセージを生成して、それをマスタ装置110-jへ送り返す。登録応答メッセージは、スレイブ装置140-iによってのみ復号されることができる暗号化された認証信号を含む。認証信号は、ランダムに生成されて、スレイブ装置140-iに対応する鍵によって暗号化される。鍵は、公開鍵であるか、又は、スレイブ装置のための対称鍵であることができる。スレイブ装置140-iが対応する秘密鍵又は対称鍵を所有することが留意されるべきである。認証信号は、後の使用のためにスペクトラム・マネージャ120に記憶される。
【００２６】
S340において、マスタ装置110-jは、スレイブ装置140-iに関連付け応答（Association Response）メッセージを送信する。関連付け応答メッセージは、スペクトラム・マネージャ120から受信された登録応答メッセージに含まれる暗号化された認証信号を含む。
【００２７】
S350において、スレイブ装置140-iは、受信された関連付け応答メッセージ中の暗号化された認証信号を復号するために、その非公開に所有する鍵を用いる。そして、スレイブ装置140-iは、確認要求（Verification Request）メッセージを生成して、このメッセージをマスタ装置110-jに送信する。確認要求メッセージは、少なくとも復号された認証信号を含む。
【００２８】
S360において、マスタ装置110-jは、認可要求（Authorization Request）メッセージを生成して、スペクトラム・マネージャ120に送信する。認可要求メッセージは、スレイブ装置140-iから受信された、復号された認証信号を含む。
【００２９】
S370において、スペクトラム・マネージャ120は、認可要求メッセージ中に含まれる受信された認証信号とS330において生成された認証信号のコピーとを比較する。一致する場合、確認/認証プロセスを通過し、そうでない場合、プロセスは失敗し、実行は終わる。
【００３０】
スペクトラム・マネージャ120がS370において正常に情報を確認して認証すると、認可応答（Authorization Response）メッセージが生成されてマスタ装置110-jに送信される。認可応答メッセージは、スレイブ装置140-iが動作するための利用可能なチャネル及び送信電力制限を含む。利用可能なチャネル及び電力制限は、マスタ装置110-jの装置タイプ及び位置と同様に、スレイブ装置140-iタイプ及び特性に基づいて計算される。
【００３１】
S380において、マスタ装置110-jは、確認応答（Verification Response）メッセージを生成して、このメッセージをスレイブ装置140-iに送信する。確認応答メッセージは、スレイブ装置140-iのための利用可能なチャネル及び送信電力制限を含む。
【００３２】
本発明の実施の形態によれば、確認応答は、セキュア同期IEの一部であるチャネル・セット情報要素(IE)のフォーマットで構築される。セキュア同期IE及びチャネル・セットIEの構造は、それぞれ、図4A及び4Bに図示される。
【００３３】
本発明の実施の形態によれば、確認応答メッセージは、対応する確認された/認証されたスレイブ装置140-iのみがそれを復号することができるような安全な態様で送信される。本発明の他の実施の形態によれば、マスタ装置110-jは、安全なマルチキャスト・グループにスレイブ装置を追加するために、４ウェイ・ハンドシェイクを開始する。
【００３４】
S390において、マスタ装置110-jは、マスタ装置110-jに関連付けられたスレイブ装置にセキュア同期情報要素(IE)を周期的にマルチキャストする。図5Aに説明される実施例において、セキュア同期IEは、マスタ装置110-jによって周期的に送信されるビーコン510中に含まれる。図5Bに説明される他の実施例において、セキュア同期IEは、沈黙期間(Quiet Period：QP)520において送信され、沈黙期間は、それ以外の場合には、センシングを実行するために用いられる。
【００３５】
図3を再度参照して、S3100において、マスタ装置は、スペクトラム・マネージャ120に周期的に(例えば1日に1回)リフレッシュ要求（Refresh Request）メッセージを送信し、スレイブ装置のための利用可能なチャネル及び送信電力制限の更新されたリストを要求する。そして、S3110において、スペクトラム・マネージャ120は、マスタ装置及びその関連するスレイブ装置のための利用可能なチャネル及び電力制限の更新されたリストを含むリフレッシュ応答（Request Response）メッセージを返信する。
【００３６】
スペクトラム・マネージャ120からリフレッシュ応答メッセージを受信すると、スレイブ装置140-iのための利用可能なチャネル及び電力制限のリストが変更された場合、マスタ装置110-jは、チャネル・セットIDを更新して、更新を反映するために、セキュア同期IEにチャネル設定IEを添付する。
【００３７】
本願明細書において記述されるプロセスは、スレイブ装置の認証及び認可のためのプロセスである。マスタ装置は、それ自身の認証及び認可プロセスをスペクトラム・マネージャと実行することが留意されるべきである。すなわち、マスタ装置の認証及び認可は、上記のステップS320, S330, S360, S370, S3100及びS3110を実行することを含むことがさらに留意されるべきである。図3に記述されるプロセスは、他のマスタ装置によるマスタ装置の認証のために利用されることができる。
【００３８】
ここで図4Aを参照すると、本発明の実施の形態により構築されるセキュア同期IEフォーマット400が示される。セキュア同期IE 400は、以下のフィールドを含む:要素識別子(ID)401、長さ402、マルチキャストID403、チャネル・セットID404及びチャネル・セットIE405。マルチキャストIDフィールド403は、複数のスレイブ装置を含むマルチキャスト・グループを指定するための識別子を含む。フィールド404及び405は暗号化される。長さフィールド402は、セキュア同期IE 400がチャネル・セットIEを含むかを指定し、含む場合、チャネル・セットIEの長さ及びセキュア同期IEの長さを特定し、さもなければ、フィールド402は、バイト（byte）で、セキュア同期IE 400の長さのみを含む。
【００３９】
図4Bは、本発明の実施の形態による構築されるチャネル・セットIE 405を示す。チャネル・セットIE 405は、以下のフィールドを含む:要素識別子(ID)410、長さ420、規制ドメイン430(例えば、米国、英国、カナダなど)、許容されるチャネルの数440、そして、各々の許容されるチャネルに対して、チャネル番号を示すサブフィールド441及びチャネルの送信電力制限を示すサブフィールド(442)。
【００４０】
セキュア同期IEが暗号化されたチャネル・セットIDを伝達することが留意されるべきである。暗号化されたチャネル・セットIDを復号することを可能にするために、スレイブ装置140-iは、マルチキャストIDフィールド403において特定される、セキュアなマルチキャスト・グループの一部である。すなわち、チャネル・セットIDに従って利用可能なチャネル及び送信電力制限を提供するために、スレイブ装置140-iは、最初にチャネル・セットIEを受信して復号しなければならない。必要な場合、例えば、スペクトラム・マネージャ120から利用可能なチャネル及び電力制限の更新を受信した後に、セキュア同期IEは、チャネル・セットIEを含むことができる。
【００４１】
図6は、本発明の実施の形態を実行することができる認知無線装置600の非制限的かつ例示的なブロック図を示す。装置600は、スレイブ装置又はマスタ装置として機能することができる。認知無線装置600は、メモリユニット610、プロセッサ620、並びに、スペクトラム・マネージャ及びネットワーク中の他の無線装置の少なくとも１つとメッセージを交換するための通信モジュール630を含む。メモリユニット610は、とりわけ装置識別及びその非公開のセキュリティ鍵を好ましくは記憶するための読み取り専用メモリ部分を含むことができる。メモリユニット610は、関連する装置のリストを含む。例えば、装置600がマスタ装置である場合、メモリユニット610は、装置600と通信するスレイブ装置のリストを保持する。
【００４２】
プロセッサ620は、認知無線装置600のタイプに従って動作するように設定される。特に、マスタ装置モードで動作するときに、プロセッサ620は、上記で詳細に説明されるように、登録要求、関連付け応答、確認応答、セキュア同期及びリフレッシュ要求メッセージを生成するように適応されている。スレイブ装置モードにおいて、プロセッサ620は、上記で詳細に説明されるように、関連付け要求、確認要求メッセージを生成するために適合している。両方のモードにおいて、プロセッサ620は、セキュリティ鍵を用いてメッセージを暗号化して及び復号する。
【００４３】
上記の詳細な説明は、本発明が採ることができる多くの形態のうちの幾つかを述べた。上記の詳細な記述は、本発明の定義に対する制限としてではなく、本発明が採ることができる選択された形態の例示として理解されることが意図される。
【００４４】
最も好ましくは、本発明の原理は、ハードウェア、ファームウェア及びソフトウェアの任意の組み合わせとしても実施される。さらに、ソフトウェアは、プログラム記憶ユニット又は計算機可読媒体上で明らかに実現されるアプリケーションプログラムとして、好ましくは実施される。アプリケーションプログラムは、任意の適切なアーキテクチャを有するマシンにアップロードされて実行されることができる。好ましくは、マシンは、ハードウェア(例えば１つ以上の中央処理ユニット(CPU)、メモリ及び入出力インタフェース)を有するコンピュータプラットフォームで実施される。コンピュータプラットフォームは、オペレーティング・システム及びマイクロ命令コードを含むことができる。本願明細書において記述されるさまざまなプロセス及び機能は、マイクロ命令コードの一部又はアプリケーションプログラムの一部、あるいは、それらの任意の組み合わせであることができ、そのようなコンピュータ又はプロセッサは明示的に示されているかにかかわらず、CPUによって実行されることができる。さらに、追加のデータ記憶ユニット及び印刷ユニットとしてのようなさまざまな他の周辺ユニットがコンピュータプラットフォームに接続されることができる。さらに、持続性計算機可読媒体は、一過性の伝搬信号以外の任意の計算機可読媒体でもある。
【図１】
2014506743.tif 000003
【図２】
2014506743.tif 000004
【図３】
2014506743.tif 000005
【図４Ａ】
2014506743.tif 000006
【図４Ｂ】
2014506743.tif 000007
【図５Ａ】
2014506743.tif 000008
【図５Ｂ】
2014506743.tif 000009
【図６】
2014506743.tif 000010
【国際調査報告】
2014506743.tif 000011
2014506743.tif 000012
2014506743.tif 000013